【手続補正書】
【提出日】平成27年9月18日(2015.9.18)
【手続補正１】
【補正対象書類名】明細書
【補正対象項目名】００１０
【補正方法】変更
【補正の内容】
【００１０】
（１）像担持体上に形成された静電潜像を現像してトナー像を形成する現像手段と、前記現像手段により現像されたトナー像を被転写体上に転写する転写手段と、を有する複数の色に対応した複数の画像形成手段と、静電潜像を前記像担持体上に形成するために、前記像担持体にレーザ光を照射する露光手段と、前記転写手段により前記被転写体上に転写された各色の位置ずれを検知するためのトナー像である検知用トナー像を検知する検知手段と、前記検知手段により検知用トナー像を検知した結果に基づき、各色の位置ずれを検知して補正する制御手段と、を備える画像形成装置であって、前記制御手段は、第１の画像と前記第１の画像に続いて形成される第２の画像との第１のページ間に、複数色のうちある１色による検知用トナー像を形成させるように制御し、前記複数色のうちある１色による検知用トナー像を形成させるための基準信号を送信するタイミングから、前記検知手段により前記複数色のうちある１色による検知用トナー像が検知されるタイミングまでの第１の期間に基づき、位置ずれを補正することを特徴とする画像形成装置。
（２）像担持体上に形成された静電潜像を現像してトナー像を形成する現像手段と、前記現像手段により現像されたトナー像を被転写体上に転写する転写手段と、を有する複数の色に対応した複数の画像形成手段と、静電潜像を前記像担持体上に形成するために、前記像担持体にレーザ光を照射する露光手段と、前記転写手段により前記被転写体上に転写された各色の位置ずれを検知するためのトナー像である検知用トナー像を検知する検知手段と、前記検知手段により検知用トナー像を検知した結果に基づき、各色の位置ずれを検知して補正する制御手段と、を備える画像形成装置であって、前記制御手段は、前記複数の画像形成手段により検知用トナー像を形成させ、前記検知用トナー像の画像形成の開始に係るタイミングと、前記検知手段により前記検知用トナー像を検知したタイミングとの間の時間に基づいて、位置ずれを補正することを特徴とする画像形成装置。
（３）像担持体上に形成された静電潜像を現像してトナー像を形成する現像手段と、前記現像手段により現像されたトナー像を被転写体上に転写する転写手段と、を有する複数の色に対応した複数の画像形成手段と、静電潜像を前記像担持体上に形成するために、前記像担持体にレーザ光を照射する露光手段と、前記転写手段により前記被転写体上に転写された第１の画像と、前記第１の画像に続いて形成される第２の画像とのページ間に形成されている、色の位置ずれを検知するためのトナー像である検知用トナー像を検知する検知手段と、前記検知手段により検知用トナー像を検知した結果に基づき、各色の位置ずれを検知して補正する制御手段と、を備える画像形成装置であって、前記制御手段は、前記第１の画像を形成させる前に前記位置ずれを補正するための基準期間を求めるための複数色の基準検知用トナー像を形成させるように制御し、前記複数色の基準検知用トナー像の検知結果と、前記複数色の基準検知用トナー像を形成させるための基準信号を送信するタイミングに基づき前記位置ずれを補正するための基準期間を求め、前記検知用トナー像の検知結果と前記基準期間とに基づき位置ずれを補正することを特徴とする画像形成装置。
（４）像担持体上に形成された静電潜像を現像してトナー像を形成する現像手段と、前記現像手段により現像されたトナー像を被転写体上に転写する転写手段と、を有する複数の色に対応した複数の画像形成手段と、静電潜像を前記像担持体上に形成するために、前記像担持体にレーザ光を照射する露光手段と、前記転写手段により前記被転写体上に転写された、各色の位置ずれを補正するための検知用トナー像を検知する検知手段と、前記検知手段により検知用トナー像を検知した結果に基づき、各色の位置ずれを検知して補正する制御手段と、を備える画像形成装置であって、第１の画像と前記第１の画像に続いて形成される第２の画像とのページ間の画像形成領域内には、複数色のうちある１色のみによる検知用トナー像が形成されることを特徴とする画像形成装置。
【手続補正２】
【補正対象書類名】明細書
【補正対象項目名】００１１
【補正方法】削除
【補正の内容】
【手続補正３】
【補正対象書類名】明細書
【補正対象項目名】００２１
【補正方法】変更
【補正の内容】
【００２１】
［色ずれ検出パターンの配置］
図２（ａ）は、本実施例におけるページ間での色ずれ検出・補正方法における色ずれ検出パターン２０３の配置についての説明図である。尚、図２（ａ）には、中間転写ベルト８は省略されており、中間転写ベルト８上に一次転写された各ページの画像（３０１〜３０５）及び色ずれ検出パターン２０３は、図示の矢印方向に搬送されるものとする。色ずれ検出パターン２０３は、次のように配置される。すなわち、１ページ目画像３０１と２ページ目画像３０２のページ間に、１色のみ（例えばイエロー色）の色ずれ検出パターン２０３ＹＲ，２０３ＹＬが配置される。また、２ページ目画像３０２と３ページ目画像３０３のページ間に、１色のみ（例えばマゼンタ色）の色ずれ検出パターン２０３ＭＲ，２０３ＭＬが配置される。また、３ページ目画像３０３と４ページ目画像３０４のページ間に、１色のみ（例えばシアン色）の色ずれ検出パターン２０３ＣＲ，２０３ＣＬが配置される。更に、４ページ目画像３０４と５ページ目画像３０５のページ間に、１色のみ（例えばブラック色）の色ずれ検出パターン２０３ＫＲ，２０３ＫＬが配置される。このように、各色の色ずれ検出パターン２０３を、１色ずつ各ページ間に配置することで、ページ間隔を広げることなく、ページ間における色ずれ検出が可能になる。本実施例では、一例として、４色の画像形成部を備える画像形成装置について説明しており、図２（ａ）に示すように、５ページの画像の各ページ間に、１色目から４色目までの色ずれ検出パターンを１つずつ順番に配置している。この他、例えば、Ｎ色の画像形成部を備える画像形成装置の場合は、（Ｎ＋１）ページの画像の各ページ間に、１色目からＮ色目までの色ずれ検出パターンを１つずつ順番に配置していくこととなる。
【手続補正４】
【補正対象書類名】明細書
【補正対象項目名】００３９
【補正方法】変更
【補正の内容】
【００３９】
［間欠印刷の課題］
実施例１のページ間での色ずれ検出・補正方法は、１色を基準色とし、その１色を除いた他の色を対象色として、基準色に対する対象色の相対的なずれ量を算出する構成であり、３ページ以上の連続プリントジョブである場合に適用可能な構成となっている。このため、２ページの連続印刷では、１色のＴｙのみが測定され、基準色と対象色の相対的なずれ量は算出できない。そこで、２ページのみの連続プリントジョブの際に、基準色の色ずれ検出パターンを形成して測定し、次の複数ページの連続プリントジョブの２ページ目以降に対象色の色ずれ検出パターンを形成して測定する構成とすることはできる。しかし、２ページのみの連続プリントジョブと次の複数ページの連続プリントジョブの間に、サーマルシフト等が発生する可能性もある。
【手続補正５】
【補正対象書類名】特許請求の範囲
【補正対象項目名】全文
【補正方法】変更
【補正の内容】
【特許請求の範囲】
【請求項１】
像担持体上に形成された静電潜像を現像してトナー像を形成する現像手段と、前記現像手段により現像されたトナー像を被転写体上に転写する転写手段と、を有する複数の色に対応した複数の画像形成手段と、
静電潜像を前記像担持体上に形成するために、前記像担持体にレーザ光を照射する露光手段と、
前記転写手段により前記被転写体上に転写された各色の位置ずれを検知するためのトナー像である検知用トナー像を検知する検知手段と、
前記検知手段により検知用トナー像を検知した結果に基づき、各色の位置ずれを検知して補正する制御手段と、を備える画像形成装置であって、
前記制御手段は、第１の画像と前記第１の画像に続いて形成される第２の画像との第１のページ間に、複数色のうちある１色による検知用トナー像を形成させるように制御し、
前記複数色のうちある１色による検知用トナー像を形成させるための基準信号を送信するタイミングから、前記検知手段により前記複数色のうちある１色による検知用トナー像が検知されるタイミングまでの第１の期間に基づき、位置ずれを補正することを特徴とする画像形成装置。
【請求項２】
前記制御手段は、前記第１のページ間とは異なる第２のページ間に、前記ある１色とは異なる色による検知用トナー像を形成させるように制御し、前記第１の期間と、前記ある１色とは異なる色による検知用トナー像を形成させるための基準信号を送信するタイミングから、前記検知手段により前記ある１色とは異なる色による検知用トナー像が検知されるタイミングまでの第２の期間とに基づき、位置ずれを補正することを特徴とする請求項１に記載の画像形成装置。
【請求項３】
前記制御手段は、前記第１のページ間に、複数色のうちある１色のみによる検知用トナー像を形成させるように制御し、前記複数色のうちある１色のみによる検知用トナー像を形成させるための基準信号を送信するタイミングから、前記検知手段により前記複数色のうちある１色のみによる検知用トナー像が検知されるタイミングまでの期間を基準期間とし、前記基準期間に基づき複数色の位置ずれを補正することを特徴とする請求項１に記載の画像形成装置。
【請求項４】
前記制御手段は、前記第１の画像を形成させる前に前記位置ずれを補正するための基準期間を求めるための複数色の基準検知用トナー像を形成させるように制御し、前記複数色の基準検知用トナー像の検知結果から、前記位置ずれを補正するための基準期間を求め、前記第１の期間と前記基準期間とに基づき位置ずれを補正することを特徴とする請求項１に記載の画像形成装置。
【請求項５】
前記制御手段は、前記第１のページ間に、複数色のうちある１色のみによる検知用トナー像を形成させるように制御することを特徴とする請求項１に記載の画像形成装置。
【請求項６】
前記制御手段は、第１の画像と前記第１の画像に続いて形成される第２の画像との第１のページ間の画像形成領域内に、複数色のすべてではなく複数色のうち少なくともある１色による検知用トナー像を形成させるように制御し、
複数色のすべてではなく複数色のうち少なくともある１色による検知用トナー像を形成させるための基準信号を送信するタイミングから、前記検知手段により前記複数色のすべてではなく複数色のうち少なくともある１色による検知用トナー像が検知されるタイミングまでの第１の期間に基づき、位置ずれを補正することを特徴とする請求項１に記載の画像形成装置。
【請求項７】
前記制御手段は、位置ずれを補正するために前記露光手段によるレーザ光を照射するタイミングを補正することを特徴とする請求項１乃至６のいずれか１項に記載の画像形成装置。
【請求項８】
像担持体上に形成された静電潜像を現像してトナー像を形成する現像手段と、前記現像手段により現像されたトナー像を被転写体上に転写する転写手段と、を有する複数の色に対応した複数の画像形成手段と、
静電潜像を前記像担持体上に形成するために、前記像担持体にレーザ光を照射する露光手段と、
前記転写手段により前記被転写体上に転写された各色の位置ずれを検知するためのトナー像である検知用トナー像を検知する検知手段と、
前記検知手段により検知用トナー像を検知した結果に基づき、各色の位置ずれを検知して補正する制御手段と、を備える画像形成装置であって、
前記制御手段は、前記複数の画像形成手段により検知用トナー像を形成させ、前記検知用トナー像の画像形成の開始に係るタイミングと、前記検知手段により前記検知用トナー像を検知したタイミングとの間の時間に基づいて、位置ずれを補正することを特徴とする画像形成装置。
【請求項９】
前記制御手段は、第１の画像と前記第１の画像に続いて形成される第２の画像とのページ間に、前記検知用トナー像を形成させるように制御することを特徴とする請求項８に記載の画像形成装置。
【請求項１０】
前記制御手段は、複数色のうちある１色のみによる検知用トナー像を形成させるように制御することを特徴とする請求項８に記載の画像形成装置。
【請求項１１】
像担持体上に形成された静電潜像を現像してトナー像を形成する現像手段と、前記現像手段により現像されたトナー像を被転写体上に転写する転写手段と、を有する複数の色に対応した複数の画像形成手段と、
静電潜像を前記像担持体上に形成するために、前記像担持体にレーザ光を照射する露光手段と、
前記転写手段により前記被転写体上に転写された第１の画像と、前記第１の画像に続いて形成される第２の画像とのページ間に形成されている、色の位置ずれを検知するためのトナー像である検知用トナー像を検知する検知手段と、
前記検知手段により検知用トナー像を検知した結果に基づき、各色の位置ずれを検知して補正する制御手段と、を備える画像形成装置であって、
前記制御手段は、前記第１の画像を形成させる前に前記位置ずれを補正するための基準期間を求めるための複数色の基準検知用トナー像を形成させるように制御し、前記複数色の基準検知用トナー像の検知結果と、前記複数色の基準検知用トナー像を形成させるための基準信号を送信するタイミングに基づき前記位置ずれを補正するための基準期間を求め、前記検知用トナー像の検知結果と前記基準期間とに基づき位置ずれを補正することを特徴とする画像形成装置。
【請求項１２】
像担持体上に形成された静電潜像を現像してトナー像を形成する現像手段と、前記現像手段により現像されたトナー像を被転写体上に転写する転写手段と、を有する複数の色に対応した複数の画像形成手段と、
静電潜像を前記像担持体上に形成するために、前記像担持体にレーザ光を照射する露光手段と、
前記転写手段により前記被転写体上に転写された、各色の位置ずれを補正するための検知用トナー像を検知する検知手段と、
前記検知手段により検知用トナー像を検知した結果に基づき、各色の位置ずれを検知して補正する制御手段と、を備える画像形成装置であって、
第１の画像と前記第１の画像に続いて形成される第２の画像とのページ間の画像形成領域内には、複数色のうちある１色のみによる検知用トナー像が形成されることを特徴とする画像形成装置。
【請求項１３】
前記第１の画像と前記第２の画像とのページ間以降のページ間には、前記複数色のうちある１色とは異なる１色のみによる検知用トナー像が形成されることを特徴とする請求項１２に記載の画像形成装置。